(57)【要約】【課題】利用者が自動的に作成されたマルチホップネットワークの構成を効率的な構成に修正することが可能な通信支援装置を提供する。【解決手段】初期構成部１１２は、マルチホップネットワークの構成を示す初期構成情報を作成する。表示編集部２１２は、初期構成情報を表示部２０４に表示し、その後、操作部２０５が修正指示を受け付けると、その修正指示に従って初期構成情報を修正する。再構成部１１８は、その修正された初期構成情報にて示されるマルチホップネットワークの構成を使用すべきマルチホップネットワークの構成とする。【選択図】図１
2007189411.tif 000002
【特許請求の範囲】
【請求項１】
マルチホップネットワークを構成する複数の無線局と通信可能な通信支援装置であって、
各無線局から、前記マルチホップネットワークの構成を示す構成情報を受信する受信手段と、
前記受信手段にて受信された構成情報を表示する表示手段と、
前記表示手段にて表示された構成情報を修正する旨の修正指示を受け付ける操作手段と、
前記操作手段にて受け付けられた修正指示に従って前記構成情報を修正する表示編集手段と、
前記表示編集手段にて修正された構成情報が示す構成に前記マルチホップネットワークの構成を変更する旨の再構成指示を、各無線局に送信する構成確定指示手段と、を含む通信支援装置。
【請求項２】
請求項１に記載の通信支援装置において、
前記表示編集手段は、前記修正された構成情報が不適当なマルチホップネットワークの構成を示す否かを判断し、
前記表示手段は、該修正された構成情報が不適当なマルチホップネットワークの構成を示すと、アラームを表示する、通信支援装置。
【請求項３】
マルチホップネットワークを構成する複数の無線局と、各無線局と通信可能な通信支援装置と、を含む通信支援システムであって、
前記通信支援装置は、
各無線局から、マルチホップネットワークの構成を示す構成情報を受信する受信手段と、
前記受信手段にて受信された構成情報を表示する表示手段と、
前記表示手段にて表示された構成情報を修正する旨の修正指示を受け付ける操作手段と、
前記操作手段にて受け付けられた修正指示に従って前記構成情報を修正する表示編集手段と、
前記表示編集手段にて修正された構成情報が示す構成に前記マルチホップネットワークの構成を変更する旨の再構成指示を各無線局に送信する構成確定指示手段と、を含み、
各無線局は、
前記構成情報を作成する初期構成手段と、
前記初期構成手段にて作成された構成情報を前記通信支援装置に送信し、その後、前記再構成指示を受信する送受信手段と、
前記送受信手段にて受信された再構成指示に従って、前記マルチホップネットワークの構成を変更する再構成手段と、を含む、通信支援システム。
【請求項４】
請求項３に記載の通信支援システムにおいて、
前記通信支援装置は、前記表示編集手段が前記構成情報を修正すると、該修正された構成情報にて構成が示されたマルチホップネットワークの通信状況のテストを行なう旨のテスト指示を各無線局に送信する構成指示手段を含み、
前記送受信手段は、前記テスト指示を受信し、
各無線局は、前記送受信手段にて受信されたテスト指示にて指示されたテストを行なうテスト手段と、前記テスト手段にて行われたテストのテスト結果を前記ネットワーク支援装置に送信する報知手段と、を含み、
前記受信手段は、前記テスト結果を受信し、
前記表示手段は、前記受信手段にて受信されたテスト結果を表示する、通信支援システム。
【請求項５】
請求項３に記載の通信支援システムにおいて、
前記初期構成手段は、他の無線局との通信状況を含む構成情報を作成し、
前記表示編集手段は、前記受信手段にて受信された構成情報が含む通信状況に基づいて、前記修正した構成情報にて構成が示されるマルチホップネットワークの通信状況を調査し、
前記表示手段は、前記表示編集手段にて調査された調査結果を表示する、通信支援システム。
【請求項６】
マルチホップネットワークを構成する複数の無線局と通信可能な通信支援装置が行なう通信支援方法であって、
各無線局から、前記マルチホップネットワークの構成を示す構成情報を受信する受信ステップと、
前記受信ステップにて受信された構成情報を表示する表示ステップと、
前記表示ステップにて表示された構成情報を修正する旨の修正指示を受け付ける受付ステップと、
前記受付ステップにて受け付けられた修正指示に従って前記構成情報を修正する修正ステップと、
前記修正ステップにて修正された構成情報が示す構成に前記マルチホップネットワークの構成を変更する旨の再構成指示を、各無線局に送信する送信ステップと、を含む通信支援方法。
【請求項７】
請求項６に記載の通信支援方法において、
前記修正ステップにて修正された構成情報が不適当なマルチホップネットワークの構成を示す否かを判断する判断ステップと、
該修正された構成情報が不適当なマルチホップネットワークの構成を示すと、アラームを表示する警告表示ステップ、とをさらに含む通信支援方法。
【請求項８】
マルチホップネットワークを構成する複数の無線局と、各無線局と通信可能な通信支援装置と、を含む通信支援システムが行なう通信支援方法であって、
各無線局が、前記マルチホップネットワークの構成を示す構成情報を作成する作成ステップと、
各無線局が、前記構成情報を前記通信支援装置に送信する構成送信ステップと、
前記通信支援装置が、前記構成情報を各無線局から受信する構成受信ステップと、
前記通信支援装置が、前記構成受信ステップにて受信された構成情報を表示する構成表示ステップと、
前記通信支援装置が、前記構成表示ステップにて表示された構成情報を修正する旨の修正指示を受け付ける構成受付ステップと、
前記通信支援装置が、前記構成受付ステップにて受け付けられた修正指示に従って前記構成情報を修正する構成修正ステップと、
前記通信支援装置が、前記構成修正ステップにて修正された構成情報が示す構成に前記マルチホップネットワークの構成を変更する旨の再構成指示を、各無線局に送信する出力ステップと、
各無線局が、前記再構成指示を受信する修正後受信ステップと、
各無線局が、該受信された再構成指示に従って、前記マルチホップネットワークの構成を変更する再構成ステップと、を含む通信支援方法。
【請求項９】
請求項８に記載の通信支援方法において、
前記通信支援装置が、前記修正された構成情報にて構成が示されたマルチホップネットワークの通信状況のテストを行なう旨のテスト指示を各無線局に送信するテスト送信ステップと、
各無線局が、前記テスト指示を受信するテスト受信ステップと、
各無線局が、該受信されたテスト指示にて指示されたテストを行なうテストステップと、
各無線局が、前記テストステップにて行われたテストのテスト結果を前記ネットワーク支援装置に送信する結果送信ステップと、
前記通信支援装置が、前記テスト結果を受信する結果受信ステップと、
前記通信支援装置が、該受信されたテスト結果を表示する結果表示ステップと、をさらに含む通信支援方法。
【請求項１０】
請求項８に記載の通信支援方法において、
各無線局が、他の無線局との通信状況を含む構成情報を作成する生成ステップと、
前記通信支援装置が、前記受信された構成情報が含む通信状況に基づいて、前記修正された構成情報にて構成が示されるマルチホップネットワークの通信状況を調査する調査ステップと、
前記通信支援装置が、前記調査ステップにて調査された調査結果を表示する調査結果表示ステップと、をさらに含む通信支援方法。
【請求項１１】
マルチホップネットワークを構成する複数の無線局と接続するコンピュータに通信支援処理を実行させるプログラムであって、
各無線局から、前記マルチホップネットワークの構成を示す構成情報を受信する受信処理と、
前記受信処理にて受信された構成情報を表示する表示処理と、
前記表示された構成情報を修正する旨の修正指示を受け付ける受付処理と、
前記受付処理にて受け付けられた修正指示に従って前記構成情報を修正する修正処理と、
前記修正処理にて修正された構成情報が示す構成に前記マルチホップネットワークの構成を変更する旨の再構成指示を、各無線局に送信する送信処理と、を含む通信支援処理を前記コンピュータに実行させるプログラム。
【発明の詳細な説明】
【技術分野】
【０００１】
本発明は、通信支援装置、通信支援システム、通信支援方法およびプログラムに関し、特には、マルチホップネットワークにおける通信支援装置、通信支援システム、通信支援方法およびプログラムに関する。
【背景技術】
【０００２】
近年、建設現場またはイベント会場などに暫定的に通信ネットワークを構成する場合、または、被災地などで緊急に通信ネットワークを構成する場合に、その通信ネットワークとして、マルチホップネットワークが注目されている。
【０００３】
マルチホップネットワークとは、主に無線通信であり、各無線局が中継機能を有し、互いに直接通信できない無線局が、他の無線局を中継することにより、互いに通信できる通信ネットワークの形態である。マルチホップネットワークでは、各無線局の通信可能距離より長い距離でも通信を行なうことが可能である。なお、マルチホップネットワークは、無線局がある程度の密度で配置されることにより、実現される。また、無線局として、端末機が用いられても良い。以下では、無線局が端末機であるとして説明する。
【０００４】
各端末機は、自己と直接無線通信が可能な端末機（以下では、隣接端末機という）の状況に基づいて、マルチホップネットワークを自動的に構成する。マルチホップネットワークを構成するためのアルゴリズムには、例えば、「各端末機が、通信すべき通信装置（以下では、センター端末機という）とのルートを有し、かつ、自己に最も近い端末機を次ホップノードとする」がある。以下では、このアルゴリズムを構成アルゴリズムという。
【０００５】
各端末機が構成アルゴリズムにてマルチホップネットワークを構成する場合、各端末機は、センター端末機とのルートを有している端末機を検索する旨のルート検索要求を、隣接端末機に送信する。その後、端末機は、センター端末機とのルート有している旨の検索応答を隣接端末機から受信すると、その隣接端末機を次ホップノードとする。なお、端末機は、複数の隣接端末機から検索応答を受信した場合、初めに受信した検索応答を送信した隣接端末機を次ホップノードとする。これにより、各端末機は、自動的にマルチホップネットワークを構成することが可能になっている。
【０００６】
しかしながら、各端末機が隣接端末機の状況のみに基づいてマルチホップネットワークを構成しているために、構成されたマルチホップネットワークでは、全体の通信速度が遅いなど、通信効率が悪くなる可能性が高い。
【０００７】
通信効率が悪くなる原因には、例えば、特定のルートに負荷が集中する、端末機がセンター端末機から遠くに離れた端末機を中継してセンター端末機と通信する、および、端末機からセンター端末機までのホップ数が必要以上に多くなる、などがある。なお、ホップ数は、端末機がセンター端末機と通信する場合、その端末機とセンター端末機との通信の中継を行なう端末機の数である。
【０００８】
図５ないし図８は、通信効率の悪いマルチホップネットワークを説明するための概念図である。なお、図５ないし図８において、同一の構成要件については、同一の符号が付してある。
【０００９】
図５は、端末機の配置を示した概念図である。図５では、マルチホップネットワークを構成することが可能な、端末機１ないし１０と、センター２０とが示されている。
【００１０】
端末機１ないし１０は、中継機能を有する。また、端末機１ないし１０は、到達範囲に含まれる端末機またはセンター２０とのみ直接通信することが可能である。センター２０は、端末機１ないし１０が通信すべき通信装置である。
【００１１】
図６は、最適なマルチホップネットワーク（以下では、最適ネットワークという）を示した概念図である。図６おいて、互いに直接通信される端末機またはセンター２０は、線で繋がっている。
【００１２】
図７ａないし図７ｄは、端末機が自動的に構成するマルチホップネットワークを示した概念図である。
【００１３】
図７ａにおいて、先ず、端末機１および３は、直接、センター２０とルートを開設する。次に、端末機２および４は、センター２０とのルートを有し、かつ、自己に最も近い端末機３とルートを開設する。
【００１４】
続いて、図７ｂにおいて、端末機５および６は、センター２０とのルートを有し、かつ、自己に最も近い端末機４とルートを開設する。
【００１５】
また、図７ｃにおいて、端末機７および８は、センター２０とのルートを有し、かつ、自己に最も近い端末機５および６とそれぞれルートを開設する。
【００１６】
さらに、図７ｄにおいて、端末機９および１０は、センター２０とのルートを有し、かつ、自己に最も近い端末機７および８とそれぞれルートを開設する。
【００１７】
図８は、自動的に構成されたネットワーク（以下では、実際ネットワークという）を示した概念図である。
【００１８】
図８において、端末機３とセンター２０とを接続するルートに負荷が集中している。また、端末機１０は、センター２０から遠くに離れた端末機８を介してセンター２０と通信する。さらに、センター端末機までのホップ数が必要以上に多い端末機がある。例えば、端末機８は、最適ネットワークでは、ホップ数は１だけだが、実際ネットワークでは、ホップ数は３である。
【００１９】
このため、実際ネットワークでは、通信効率が悪い。よって、通信効率の良いマルチホップネットワークを構成するための技術が求められている。
【００２０】
例えば、端末機がセンター端末機までのホップ数が最も少ない隣接端末機を次ホップノードとする通信制御方法が考えられている。この通信制御方法では、隣接端末機は、ルート検索要求を受信すると、センター端末機までのホップ数を取得し、そのホップ数を含む検索応答を送信する。この場合、ルート検索要求を出力した端末機は、複数の隣接端末機から検索応答を受信する。その後、端末機は、その検索応答に基づいて、ホップ数の最も少ない隣接端末機を次ホップノートとする。これにより、通信効率が良いマルチホップネットワークを構成することが可能になる。
【００２１】
しかしながら、端末機は、センター端末機までのホップ数が少ない隣接端末機を次ホップノードとしても、その隣接端末機と安定的に通信できるとは限らない。
【００２２】
特許文献１（特開２００３−２４９９３６号公報）に記載の無線装置は、自己と隣接する無線装置から受信された電波の強度を記録する。無線装置は、最も強度の強い電波を発信した無線装置を次ホップノードとする。これにより、隣接端末機と安定的に通信可能なマルチホップネットワークを構成することが可能になる。
【特許文献１】特開２００３−２４９９３６号公報
【発明の開示】
【発明が解決しようとする課題】
【００２３】
しかしながら、特許文献１に記載の無線装置が行なう通信経路制御方法、または、ホップ数の少ない隣接端末機を次ホップノードとする通信制御方法では、必ずしも、効率のよいマルチホップネットワークが自動的に構成されるわけではない。また、利用者は、そのマルチホップネットワークの構成を効率的な構成に修正できなかった。
【００２４】
本発明の目的は、利用者が自動的に作成されたマルチホップネットワークの構成を効率的な構成に修正することが可能な通信支援装置、通信支援システム、通信支援方法およびプログラムを提供することである。
【課題を解決するための手段】
【００２５】
前記目的を達成するために、本発明の通信支援装置は、マルチホップネットワークを構成する複数の無線局と通信可能な通信支援装置であって、各無線局から、前記マルチホップネットワークの構成を示す構成情報を受信する受信手段と、前記受信手段にて受信された構成情報を表示する表示手段と、前記表示手段にて表示された構成情報を修正する旨の修正指示を受け付ける操作手段と、前記操作手段にて受け付けられた修正指示に従って前記構成情報を修正する表示編集手段と、前記表示編集手段にて修正された構成情報が示す構成に前記マルチホップネットワークの構成を変更する旨の再構成指示を、各無線局に送信する構成確定指示手段と、を含む。
【００２６】
また、本発明の通信支援方法は、マルチホップネットワークを構成する複数の無線局と通信可能な通信支援装置が行なう通信支援方法であって、各無線局から、前記マルチホップネットワークの構成を示す構成情報を受信する受信ステップと、前記受信ステップにて受信された構成情報を表示する表示ステップと、前記表示ステップにて表示された構成情報を修正する旨の修正指示を受け付ける受付ステップと、前記受付ステップにて受け付けられた修正指示に従って前記構成情報を修正する修正ステップと、前記修正ステップにて修正された構成情報が示すマルチホップネットワークの構成に変更する旨の再構成指示を、各無線局に送信する送信ステップと、を含む。
【００２７】
また、本発明の通信支援システムは、マルチホップネットワークを構成する複数の無線局と、各無線局と通信可能な通信支援装置と、を含む通信支援システムであって、前記通信支援装置は、各無線局から、マルチホップネットワークの構成を示す構成情報を受信する受信手段と、前記受信手段にて受信された構成情報を表示する表示手段と、前記表示手段にて表示された構成情報を修正する旨の修正指示を受け付ける操作手段と、前記操作手段にて受け付けられた修正指示に従って前記構成情報を修正する表示編集手段と、前記表示編集手段にて修正された構成情報が示す構成に前記マルチホップネットワークの構成を変更する旨の再構成指示を各無線局に送信する構成確定指示手段と、を含み、各無線局は、前記構成情報を作成する初期構成手段と、前記初期構成手段にて作成された構成情報を前記通信支援装置に送信し、その後、前記再構成指示を受信する送受信手段と、前記送受信手段にて受信された再構成に従って、前記マルチホップネットワークの構成を変更する再構成手段と、を含む。
【００２８】
また、前記通信支援システムが行なう通信支援方法は、マルチホップネットワークを構成する複数の無線局と、各無線局と通信可能な通信支援装置と、を含む通信支援システムが行なう通信支援方法であって、各無線局が、前記マルチホップネットワークの構成を示す構成情報を作成する作成ステップと、各無線局が、前記構成情報を前記通信支援装置に送信する構成送信ステップと、前記通信支援装置が、前記構成情報を各無線局から受信する構成受信ステップと、前記通信支援装置が、前記構成受信ステップにて受信された構成情報を表示する構成表示ステップと、前記通信支援装置が、前記構成表示ステップにて表示された構成情報を修正する旨の修正指示を受け付ける構成受付ステップと、前記通信支援装置が、前記構成受付ステップにて受け付けられた修正指示に従って前記構成情報を修正する構成修正ステップと、前記通信支援装置が、前記構成修正ステップにて修正された構成情報が示す構成に前記マルチホップネットワークの構成を変更する旨の再構成指示を、各無線局に送信する出力ステップと、各無線局が、前記再構成指示を受信する修正後受信ステップと、各無線局が、該受信された再構成指示に従って、前記マルチホップネットワークの構成を変更する再構成ステップと、を含む。
【００２９】
上記の発明によれば、各無線局から受信されたマルチホップネットワークの構成を示す構成情報が表示され、その後、その構成情報が修正される。また、修正された構成情報にて示される構成にマルチホップネットワークの構成を変更する旨の再構成指示が各無線局に送信される。
【００３０】
このため、利用者が自動的に作成されたマルチホップネットワークの構成を効率的な構成に修正することが可能になる。
【００３１】
また、前記表示編集手段は、前記修正された構成情報が不適当なマルチホップネットワークの構成を示す否かを判断し、前記表示手段は、該修正された構成情報が不適当なマルチホップネットワークの構成を示すと、アラームを表示することが望ましい。
【００３２】
上記の発明によれば、修正された構成情報が不適当なマルチホップネットワークの構成を示すと、アラームが表示される。このため、構成情報の修正にて、例えば、支援装置と通信できない無線局が存在するなど、不適当なマルチホップネットワークが構成される可能性を軽減することが可能になる。
【００３３】
また、前記通信支援装置は、前記表示編集手段が前記構成情報を修正すると、該修正された構成情報にて構成が示されたマルチホップネットワークの通信状況のテストを行なう旨のテスト指示を各無線局に送信する構成指示手段を含み、前記送受信手段は、前記テスト指示を受信し、各無線局は、前記送受信手段にて受信されたテスト指示にて指示されたテストを行なうテスト手段と、前記テスト手段にて行われたテストのテスト結果を前記ネットワーク支援装置に送信する報知手段と、を含み、前記受信手段は、前記テスト結果を受信し、前記表示手段は、前記受信手段にて受信されたテスト結果を表示することが望ましい。
【００３４】
上記の発明によれば、修正された構成情報が示すマルチホップネットワークの通信状況のテストが行われ、そのテスト結果が表示される。このため、修正された構成情報にて構成が示されたマルチホップネットワークが、安定的に通信可能か否かを確認することが可能になる。
【００３５】
また、前記初期構成手段は、他の無線局との通信状況を含む構成情報を作成し、前記表示編集手段は、前記受信手段にて受信された構成情報が含む通信状況に基づいて、前記修正した構成情報にて構成が示されるマルチホップネットワークの通信状況を調査し、前記表示手段は、前記表示編集手段にて調査された調査結果を表示することが望ましい。
【００３６】
上記の発明によれば、他の無線局との通信状況に基づいて、修正された構成情報にて構成が示されるマルチホップネットワークの通信状況が調査され、その調査結果が表示される。
【００３７】
このため、修正された構成情報にて構成が示されたマルチホップネットワークが、安定的に通信可能か否かを確認することが可能になる。
【００３８】
また、本発明のプログラムは、マルチホップネットワークを構成する複数の無線局と接続するコンピュータに通信支援処理を実行させるプログラムであって、各無線局から、前記マルチホップネットワークの構成を示す構成情報を受信する受信処理と、前記受信処理にて受信された構成情報を表示する表示処理と、前記表示された構成情報を修正する旨の修正指示を受け付ける受付処理と、前記受付処理にて受け付けられた修正指示に従って前記構成情報を修正する修正処理と、前記修正処理にて修正された構成情報が示すマルチホップネットワークの構成に変更する旨の再構成指示を、各無線局に送信する送信処理と、を含む通信支援処理を前記コンピュータに実行させる。
【００３９】
上記の発明によれば、前記通信支援方法をコンピュータに実行させることが可能になる。
【発明の効果】
【００４０】
本発明によれば、利用者が自動的に作成されたマルチホップネットワークの構成を効率的な構成に修正することが可能になる。
【発明を実施するための最良の形態】
【００４１】
以下、本発明の実施例について図面を参照して説明する。
【００４２】
図１は、本発明の一実施例のマルチホップネットワークの通信支援システムを示したブロック図である。図１において、マルチホップネットワークの通信支援システムは、構成端末機１００と、支援装置２００とを含む。なお、構成端末機１００と支援装置２００とは、マルチホップネットワークを介して相互に接続される。
【００４３】
構成端末機１００は、マルチホップネットワークを構成することが可能な無線局であり、他の構成端末機を介して通信すべきセンター端末機（図示せず）と通信する。なお、構成端末機１００は、他の構成端末機間の無線通信の中継を行なう中継機能を有する。また、図１において、構成端末機の数は、1だけだが、実際には、複数ある。
【００４４】
マルチホップネットワークが、例えば、屋外の工事現場などにおいて温度、湿度または振動などの観測量を監視する目的で構成される場合、構成端末機１００には、その観測量を測定するセンサが取り付けられる。この場合、構成端末機１００は、そのセンサが測定した観測量を、マルチホップネットワークを介して、センター端末機（図示せず）に送信する。なお、センター端末機は、観測量の収集および管理を行なう。
【００４５】
構成端末機１００は、無線通信部１１１と、初期構成部１１２と、記憶部１１３と、位置情報取得部１１４と、送受信部１１５と、通信状況テスト部１１６と、通信状況報告部１１７と、再構成部１１８とを含む。
【００４６】
無線通信部１１１は、直接無線通信が可能な構成端末機と通信する。
【００４７】
初期構成部１１２は、マルチホップネットワークを構成し、その構成を示した初期構成情報を作成する。
【００４８】
具体的には、先ず、初期構成部１１２は、直接無線通信が可能な構成端末機から、所定の条件に適合する構成端末機を検索し、検索された構成端末機を次ホップノードとする。続いて、初期構成部１１２は、次ホップノードとして決定された構成端末機を特定するＩＤを示す初期構成情報を作成する。
【００４９】
例えば、所定の条件が「センター端末機へのルートを有し、かつ、自己に最も近い構成端末機」の場合、初期構成部１１２は、センター端末機へのルートを有する端末機を検索する旨の検索指示を、無線通信部１１１を介して、構成端末機１００と直接無線通信が可能な構成端末機に出力する。その後、初期構成部１１２は、無線通信部１１１が始めに受信した応答信号を送信した構成端末機を次ホップノードとし、その構成端末機のＩＤを示す初期構成情報を作成する。なお、応答信号は、該応答信号を出力する構成端末機のＩＤを示す。
【００５０】
初期構成部１１２は、その初期構成情報を、構成端末機１００が使用すべきマルチホップネットワークの構成を示す使用構成情報として記憶部１１３に記憶する。初期構成部１１２は、その初期構成情報を位置情報取得部１１４に出力する。
【００５１】
位置情報取得部１１４は、初期構成部１１２から初期構成情報を受け付けると、構成端末機１００の設置位置を取得する。
【００５２】
なお、位置情報取得部１１４は、自動的に設置位置を取得することが望ましい。例えば、位置情報取得部１１４は、ＧＰＳ機能を有し、位置取得要求を受け付けると、ＧＰＳ衛星（図示せず）から、自己の設置位置を測位するための測位信号を受信する。位置情報取得部１１４は、受信した測位信号に基づいて、自己の設置位置を測位する。この場合、設置位置は、構成端末機１００が設置された、緯度、経度および高度を示す。
【００５３】
位置情報取得部１１４は、その設置位置および初期構成情報を、送受信部１１５に出力する。
【００５４】
送受信部１１５は、マルチホップネットワークを利用して、支援装置２００と通信する。
【００５５】
送受信部１１５は、設置位置、初期構成情報、および、マルチホップネットワークの通信状況のテスト結果を、無線通信部１１１およびマルチホップネットワークを介して、支援装置２００に送信する。具体的には、送受信部１１５は、無線通信部１１１、および、記憶部１１３に記憶された使用構成情報が示すマルチネットワークを介して、設置位置、初期構成情報およびテスト結果を、支援装置２００に送信する。
【００５６】
また、送受信部１１５は、マルチホップネットワークの通信状況をテストする旨のテスト指示と、マルチホップネットワークの構成を変更する旨の再構成指示と、を支援装置２００から受信する。
【００５７】
テスト指示は、通信状況をテストすべきマルチホップネットワーク（以下では、テストネットワークという）の構成を示すテスト構成情報を含む。テスト構成情報は、少なくとも、次ホップノードとなる構成端末機のＩＤを示す。さらに言えば、テスト構成情報は、すくなくとも、テストネットワークにおいて、構成端末機１００がセンター端末機の通信を行なう場合に、次ホップノードとなる構成端末機のＩＤを示す。
【００５８】
通信状況テスト部１１６は、送受信部１１５がテスト指示を受信すると、そのテスト指示が含むテスト構成情報にて示されるテストネットワークの通信状況をテストする。
【００５９】
具体的には、通信状況テスト部１１６は、無線通信部１１１を介して、テストネットワークにおいて、次ホップノードとなる構成端末機に応答する旨の応答要求を送信する。その後、通信状況テスト部１１６は、無線通信部１１１がその構成端末機から応答要求を受信した旨の応答信号を受信すると、その応答信号に基づいて、その構成端末機との通信が通信状況をテストする。
【００６０】
例えば、通信状況テスト部１１６は、無線通信部１１１が受け付けた応答信号の強度を測定し、その強度が所定の強度以上か否かを判断する。通信状況テスト部１１６は、その強度が所定の強度以上であると、構成端末機との通信が安定的に行なわれると判断し、一方、その強度が所定の強度未満であると、構成端末機との通信が安定的に行われないと、判断する。
【００６１】
通信状況テスト部１１６は、テストネットワークの通信状況をテストすると、そのテスト結果を通信状況報告部１１７に出力すると共に、テスト構成情報を記憶部１１３に記憶する。テスト結果は、例えば、テスト構成情報が示すＩＤの構成端末機との通信が安定的に行なわれるか否かを示す。
【００６２】
通信状況報告部１１７は、通信状況テスト部１１６からテスト結果を受け付けると、そのテスト結果を送受信部１１５に出力する。
【００６３】
再構成部１１８は、送受信部１１５が再構成指示を受信すると、その再構成指示に従って、マルチホップネットワークの構成を変更する。
【００６４】
支援装置２００は、直接、センター端末機と接続される。
【００６５】
支援装置２００は、メモリ２０１と、制御部２０２と、ルーティング記憶部２０３と、表示部２０４と、操作部２０５とを含む。
【００６６】
メモリ２０１は、ＣＰＵにて読み取り可能な記録媒体であり、制御部２０２の動作を規定するプログラムを記録する。
【００６７】
制御部２０２は、例えば、ＣＰＵであり、メモリ２０１に記録されたプログラムを読み取り、読み取ったプログラムを実行して、データ送受信部２１１と、表示編集部２１２と、構成指示部２１３と、通信状況受信部２１４と、構成確定指示部２１５とを実現する。
【００６８】
ルーティング記憶部２０３は、支援装置２００から構成端末装置１００にテスト指示および再構成指示を送信するためのルーティングテーブルを記憶する。
【００６９】
操作部２０５は、例えば、ポインティングデバイスであり、初期構成情報を修正する旨の修正指示と、マルチホップネットワークの構成を確定する旨の確定指示とをユーザから受け付ける。
【００７０】
データ送受信部２１１は、各構成端末機から、初期構成情報、設置位置およびテスト結果を受信する。
【００７１】
また、データ送受信部２１１は、テスト指示および再構成指示を、マルチホップネットワークを介して構成端末機１００に送信する。具体的には、データ送受信部２１１は、ルーティング記憶部２０３に記憶されたルーティングテーブルに従って、テスト指示および再構成指示を構成端末機１００に送信する。なお、ユーザが、ソースルーティングを用いて、データ送受信部２１１にテスト指示および再構成指示を送信してもよい。この場合、ルーティング記憶部２０３は、ルーティングテーブルを記憶しなくてもよい。
【００７２】
表示編集部２１２は、データ送受信部２１１が初期構成情報および設置位置を受信すると、その初期構成情報および設置位置を表示部２０４に表示する。
【００７３】
なお、表示編集部２１２は、初期構成情報および設置位置を、例えば、平面図または立体図など、ユーザがマルチホップネットワークの構成を把握しやすい形式で表示する。例えば、図６のように、表示編集部２１２は、各構成端末機を円で示し、互いに通信する構成端末機を線で繋いだ平面図として初期構成情報および設置位置を表示する。
【００７４】
表示編集部２１２は、操作部２０５が修正指示を受け付けると、その修正指示に従って初期構成情報を修正する。なお、ユーザは、操作部２０５を用いて、表示部２０４に表示された、互いに通信する構成端末を繋いだ線を、追加、変更または削除などを行なうことで、修正指示を入力する。
【００７５】
表示編集部２１２は、初期構成情報を修正すると、修正した初期構成情報（以下では、修正構成情報という）が不適当なマルチホップネットワークの構成を示すか否かを判断する。不適当なマルチホップネットワークの構成とは、センター端末機または支援装置２００と通信できない構成端末機が存在する構成である。例えば、不適当なマルチホップネットワークの構成は、他の構成端末機と通信していない構成端末機が存在する構成、または、構成端末機間のみで通信される構成端末機が存在する構成などである。
【００７６】
表示編集部２１２は、修正構成情報が示すマルチホップネットワークの構成が不適当な構成であると、そのマルチホップネットワークの構成が不適当な構成である旨のアラームを表示部２０４に表示する。一方、そのマルチホップネットワークの構成が不適当な構成でないと、修正構成情報を構成指示部２１３に出力する。
【００７７】
また、表示編集部２１２は、データ送受信部２１１がテスト結果を受信すると、そのテスト結果を表示部２０４に表示する。
【００７８】
表示編集部２１２は、操作部２０５が確定指示を受け付けると、受け付けた確定指示を構成確定指示部２１５に出力する。
【００７９】
構成指示部２１３は、表示編集部２１２から修正構成情報を受け付けると、その修正構成情報に応じて、テスト指示を作成する。なお、通常、各構成端末機は、自己に関連するネットワークの構成情報（次ホップノードとなる構成端末機のＩＤ）のみを記憶する。この場合、構成指示部２１３は、修正構成情報から、構成端末機ごとに、その構成端末機の次ホップノードとなる構成端末機のＩＤをテスト構成情報として抽出する。その後、構成指示部２１３は、そのテスト構成情報を含むテスト指示を作成する。
【００８０】
構成指示部２１３は、そのテスト指示を、データ送受信部２１１に出力する。
【００８１】
通信状況受信部２１４は、データ送受信部２１１がテスト結果を受信すると、そのテスト結果を表示編集部２１２に出力する。
【００８２】
構成確定指示部２１５は、表示編集部２１２から確定指示を受け付けると、マルチホップネットワークの構成を変更する旨の再構成指示を作成する。具体的には、構成確定指示部２１５は、初期構成情報が示す構成から、最後に通信状況がテストされたマルチホップネットワークの構成に変更する旨の再構成指示を作成する。
【００８３】
構成確定指示部２１５は、その再構成指示をデータ送受信部２１１に出力する。
【００８４】
次に動作を説明する。図２は、マルチホップネットワークの構成支援システムの動作を説明するためのフローチャートである。
【００８５】
ステップＳ３０１では、構成端末機１００の初期構成部１１２は、初期構成情報を作成する。初期構成部１１２は、その初期構成情報を、使用構成情報として記憶部１１３に記憶すると共に、位置情報取得部１１４に出力する。位置情報取得部１１４は、初期構成情報を受け付けると、ステップＳ３０２を実行する。
【００８６】
ステップＳ３０２では、位置情報取得部１１４は、設置位置を取得する。位置情報取得部１１４は、設置位置を取得すると、その設置位置および初期構成情報を送受信部１１５に出力する。送受信部１１５は、設置位置および初期構成情報を受け付けると、ステップＳ３０３を実行する。
【００８７】
ステップＳ３０３では、送受信部１１５は、設置位置および初期構成情報を支援装置２００のデータ送受信部２１１に送信する。具体的には、送受信部１１５は、記憶部１１３に記憶された使用構成情報を確認し、その使用構成情報が示すＩＤの構成端末機を介して、設置位置および初期構成情報をデータ送受信部２１１に送信する。
【００８８】
データ送受信部２１１は、設置位置および初期構成情報を受信すると、ステップＳ３０４を実行する。
【００８９】
ステップＳ３０４では、データ送受信部２１１は、設置位置および初期構成情報を表示編集部２１２に出力する。表示編集部２１２は、設置位置および初期構成情報を受け付けると、その初期構成情報および設置位置を表示部２０４に表示する。表示編集部２１２がステップＳ３０４を終了すると、操作部２０５がステップＳ３０５を実行する。
【００９０】
ステップＳ３０５では、操作部２０５は、修正指示を受け付けたか否かを確認する。操作部２０５は、修正指示を受け付けると、ステップＳ３０６を実行し、修正指示を受け付けないと、ステップＳ３０５を実行する。
【００９１】
ステップＳ３０６では、操作部２０５は、その修正指示を表示編集部２１２に出力する。表示編集部２１２は、修正指示受け付けると、その修正指示に従って初期構成情報を修正する。表示編集部２１２は、初期構成情報を修正すると、修正された初期構成情報（修正構成情報）にて示されるマルチネットワークの構成が不適当な構成か否かを判断する。表示編集部２１２は、そのマルチネットワークの構成が不適当な構成であると、ステップＳ３０７を実行し、一方、そのマルチネットワークの構成が不適当な構成でないと、ステップＳ３０８を実行する。
【００９２】
ステップＳ３０７では、表示編集部２１２は、アラームを表示部２０４に表示する。表示編集部２１２がステップＳ３０７を終了すると、操作部２０５がステップＳ３０５を実行する。
【００９３】
ステップＳ３０８では、表示編集部２１２は、修正構成情報を構成指示部２１３に出力する。構成指示部２１３は、修正構成情報を受け付けると、その修正構成情報に応じて、テスト指示を作成する。
【００９４】
構成指示部２１３は、テスト指示を作成すると、そのテスト指示をデータ送受信部２１１に出力する。データ送受信部２１１は、テスト指示を受け付けると、ステップＳ３０９を実行する。
【００９５】
ステップＳ３０９では、データ送受信部２１１は、テスト指示を、構成端末機１００の無線通信部１１１を介して構成端末機１００の送受信部１１５に送信する。送受信部１１５は、テスト指示を受信すると、そのテスト指示を通信状況テスト部１１６に出力する。通信状況テスト部１１６は、テスト指示を受け付けると、ステップＳ３１０を実行する。
【００９６】
ステップＳ３１０では、通信状況テスト部１１６は、そのテスト指示にて指示されたマルチホップネットワークの通信状況をテストする。通信状況テスト部１１６、そのマルチホップネットワークの通信状況をテストすると、ステップＳ３１１を実行する。
【００９７】
ステップＳ３１１は、通信状況テスト部１１６は、テスト構成情報を記憶部１１３に記憶すると共に、テスト結果を通信状況報告部１１７に出力する。通信状況報告部１１７は、テスト結果を受け付けると、そのテスト結果を送受信部１１５に出力する。
【００９８】
送受信部１１５は、テスト結果を受け付けると、そのテスト結果を、支援装置２００のデータ送受信部２１１に送信する。送受信部２１１は、テスト結果を受信すると、ステップＳ３１１を実行する。
【００９９】
ステップＳ３１２では、データ送受信部２１１は、テスト結果を通信状況受信部２１４に出力する。通信状況受信部２１４は、テスト結果を受け付けると、そのテスト結果を表示編集部２１２に出力する。表示編集部２１２は、テスト結果を受け付けると、そのテスト結果を表示部２０４に表示する。表示編集部２１２がステップＳ３１２を終了すると、操作部２０５がステップＳ３１３を実行する。
【０１００】
ステップＳ３１３では、操作部２０５は、修正指示を受け付けたか否かを確認する。操作部２０５は、修正指示を受け付けると、ステップＳ３０６を実行し、修正指示を受け付けないと、ステップＳ３１４を実行する。
【０１０１】
ステップＳ３１４では、操作部２０５は、確定指示を受け付けたか否かを確認する。操作部２０５は、確定指示を受け付けると、ステップＳ３１５を実行し、確定指示を受け付けないと、ステップＳ３１３を実行する。
【０１０２】
ステップＳ３１５では、操作部２０５は、確定指示を表示編集部２１２に出力する。表示編集部２１２は、確定指示を受け付けると、その確定指示を構成確定指示部２１５に出力する。構成確定指示部２１５は、確定指示を受け付けると、再構成指示を作成する。
【０１０３】
構成確定指示部２１５は、再構成指示を作成すると、その再構成指示を、データ送受信部２１１に出力する。データ送受信部２１１は、再構成指示を受け付けると、マルチホップネットワーク、無線通信部１１１を介して構成端末機１００の送受信部１１５に送信する。送受信部１１５は、再構成指示を受信すると、ステップＳ３１６を実行する。
【０１０４】
ステップＳ３１６では、送受信部１１５は、再構成指示を再構成部１１８に出力する。再構成部１１８は、再構成指示を受け付けると、その再構成指示に従って、マルチホップネットワークの構成を変更する。具体的には、再構成部１１８は、マルチホップネットワークの構成を、初期構成情報が示す構成から、最後に通信状況がテストされたマルチホップネットワークの構成に変更する。さらに言えば、再構成部１１８は、記憶部１１３に最後に記憶されたテスト構成情報を使用構成情報に変更する。
【０１０５】
なお、ステップＳ３１５において、表示編集部２１２は、確定指示を受け付けると、確定指示と、確定指示を受け付ける直前に修正された修正構成情報と構成確定指示部２１５に出力してもよい。この場合、構成確定指示部２１５は、確定指示および修正構成情報を受け付けると、その修正構成情報を含む再構成指示を作成する。また、ステップＳ３１６では、再構成部１１８は、再構成指示を受け付けると、マルチホップネットワークの構成を、その再構成指示が含む修正構成情報を、使用構成情報として記憶部１１３に記憶する。
【０１０６】
この場合、ステップＳ３１１にて、通信状況テスト部１１６は、テスト構成情報を記憶部１１３に記憶しなくても良い。
【０１０７】
本実施例によれば、操作部２０５が修正指示を受け付けると、表示編集部２１２は、その修正指示に従って初期構成情報を修正する。構成確定指示部２１５は、修正された初期構成情報が示す構成に、マルチホップネットワークの構成を変更する旨の再構成指示を構成端末機１００に送信する。送受信部１１５が再構成指示を受信すると、再構成部１１８は、その再構成指示に従ってマルチホップネットワークの構成を変更する。
【０１０８】
この場合、各構成端末機から受信されたマルチホップネットワークの構成を示す初期構成情報が表示される。また、表示された初期構成情報が修正されると、修正された初期構成情報が示す構成に、マルチホップネットワークの構成を変更する旨の再構成指示が各構成端末機に送信される。
【０１０９】
このため、ユーザが自動的に作成されたマルチホップネットワークの構成を効率的な構成に修正することが可能になる。
【０１１０】
また、本実施例では、表示編集部２１２は、初期構成情報を修正すると、修正された初期構成情報が不適当なマルチホップネットワークの構成を示すか否かを判断する。表示部２０４は、その初期構成情報が不適当なマルチホップネットワークの構成を示すと、アラームを表示する。
【０１１１】
この場合、修正された初期構成情報が不適当なマルチホップネットワークの構成を示すと、アラームが表示される。このため、初期構成情報の修正にて、例えば、他の構成端末機または支援装置と通信できない構成端末機が存在するなどの、不適当なマルチホップネットワークが構成される可能性を軽減することが可能になる。
【０１１２】
また、本実施例では、構成指示部２１３は、修正された初期構成情報にて示されたマルチホップネットワークの通信状況をテストする旨のテスト指示を構成端末機１００に送信する。送受信部１１５がテスト指示を受信すると、通信状況テスト部１１６は、そのテスト指示にて指示されたマルチホップネットワークの通信状況をテストする。通信状況報告部１１７は、通信状況テスト部１１６にてテストされたテスト結果を支援装置２００に送信する。データ送受信部２１１がテスト結果を受信すると、表示部２０４は、そのテスト結果を表示する。
【０１１３】
この場合、修正された初期構成情報が示すマルチホップネットワークの通信状況がテストされ、そのテスト結果が表示される。このため、修正された初期構成情報にて構成が示されたマルチホップネットワークが、安定的に通信可能か否かを確認することが可能になる。
【０１１４】
次に、支援装置が、修正されたマルチホップネットワークの通信状況を調査するマルチホップネットワークの通信支援装置システムについて説明する。
【０１１５】
図３は、支援装置が、修正されたマルチホップネットワークの通信状況を調査するマルチホップネットワークの通信支援装置システムの動作を説明するためのフローチャートである。なお、図３において、図２と同一の処理に付いては、同一の符号が付してある。
【０１１６】
ステップＳ４０１では、初期構成部１１２は、直接通信が可能な構成端末機の通信状況（例えば、受信電波の強度）を取得し、その通信状況を含む初期構成情報を作成する。初期構成部１１２は、初期構成情報を作成すると、その初期構成情報を、使用構成情報として記憶部１１３に記憶すると共に、位置情報取得部１１４に出力する。位置情報取得部１１４は、初期構成情報を受け付けると、ステップＳ３０２を実行する。
【０１１７】
その後、ステップＳ３０２ないしステップＳ３０６が実行される。ステップＳ３０６では、表示編集部２１２は、修正された初期構成情報にて示されるマルチネットワークの構成が不適当な構成でないと、ステップＳ４０２を実行する。
【０１１８】
ステップＳ４０２では、表示編集部２１２は、初期構成情報が含む通信状況に基づいて、修正された初期構成情報にて構成が示されるマルチホップネットワークの通信状況を調査し、その調査結果を表示部２０４に表示する。表示編集部２１２がステップＳ４０２を終了すると、操作部２０５がステップＳ３１３を実行する。
【０１１９】
その後、ステップＳ３１３およびステップＳ３１４が実行される。ステップＳ３１４では、操作部２０５が確定指示を受け付けると、ステップＳ４０３を実行する。
【０１２０】
ステップＳ４０３では、操作部２０５は、確定指示を表示編集部２１２に出力する。表示編集部２１２は、確定指示を受け付けると、確定指示および修正構成情報を構成確定指示部２１５に出力する。構成確定指示部２１５は、確定指示および修正構成情報を受け付けると、修正構成情報が示す構成にマルチホップネットワークの構成を変更する旨の再構成指示を作成する。なお、再構成指示は、修正構成情報を含む。
【０１２１】
また、構成端末機が自己に関連するネットワークの構成情報のみを記憶する場合、構成指示部２１５は、受け付けた修正構成情報から、構成端末機ごとに、その構成端末機に関連する構成を示す修正構成情報を抽出する。構成指示部２１５は、修正構成情報を抽出すると、抽出した修正構成情報を含む再構成指示を作成する。
【０１２２】
構成確定指示部２１５は、再構成指示を作成すると、ステップＳ４０４を実行する。
【０１２３】
ステップＳ４０４では、構成確定指示部２１５は、その再構成指示をデータ送受信部２１１に出力する。データ送受信部２１１は、再構成指示を受け付けると、その再構成指示をマルチホップネットワーク、および構成端末機１００の無線部１１１を介して、送受信部１１５に送信する。送受信部１１５は、再構成指示を受信すると、ステップＳ４０５を実行する。
【０１２４】
ステップＳ４０５では、送受信部１１５は、再構成指示を再構成部１１８に出力する。再構成部１１８は、再構成指示を受け付けると、その再構成指示に従ってマルチホップネットワークの構成を変更する。
【０１２５】
具体的には、再構成部１１８は、再構成指示を受け付けると、その再構成指示が含む修正構成情報を、使用構成情報として記憶部１１３に記憶する。
【０１２６】
本実施例によれば、表示編集部２１２は、初期構成情報を修正すると、初期構成部１１２が作成した初期構成情報に含まれる通信状況に基づいて、修正された初期構成情報にて構成が示されるマルチホップネットワークの通信状況を調査する。表示部２０４は、その調査結果を表示する。
【０１２７】
この場合、他の構成端末機との通信状況に基づいて、修正された初期構成情報にて構成が示されるマルチホップネットワークの通信状況が調査され、その調査結果が表示される。
【０１２８】
このため、修正された初期構成情報にて構成が示されたマルチホップネットワークが、安定的に通信可能か否かを確認することが可能になる。
【０１２９】
次に、表示編集部２１２が初期構成情報の修正を一部または全て行なう支援システムについて説明する。
【０１３０】
表示編集部２１２が初期構成情報の修正を一部行なう場合、表示編集部２１２は、修正した初期構成情報が不適当なマルチホップネットワークの構成を示すか否かを判断する際に、例えば、そのマルチホップネットワークの構成に負荷が集中している経路があるか否かをさらに判断する。
【０１３１】
表示編集部２１２は、負荷が集中している経路があると、負荷が集中している経路がある旨の負荷集中アラームを表示部２０４に表示する。また、表示編集部２１２は、負荷が集中している経路があると、負荷が集中している経路がないマルチネットワークの構成に修正し、修正した構成を示す修正構成情報を構成指示部２１３に出力してもよい。
【０１３２】
また、表示編集部２１２が初期構成情報の修正を全て行なう場合、表示編集部２１２は、データ送受信部２１１が初期構成情報および設置位置を受信すると、例えば、その初期構成情報にて示されるマルチホップネットワークに負荷が集中している経路があるか否かを判断する。負荷が集中している経路があると、表示編集部２１２は、初期構成情報を、負荷が集中している経路がないマルチホップネットワークの構成を示すように修正し、修正した初期構成情報を構成指示部２１３に出力する。
【０１３３】
以上説明した実施例において、図示した構成は単なる一例であって、本発明はその構成に限定されるものではない。
【０１３４】
例えば、各構成端末機がビルディングの内部などの屋内に設置されてもよい。この場合、各構成端末機には、空調管理用の温度センサが取り付けられる。各構成端末機は、その温度センサが測定した温度を、マルチホップネットワークを介して、その温度の収集および管理を行なうセンター端末機に送信する。
【０１３５】
構成端末機がビルディングの内部などの屋内に設置されると、位置情報取得部１１４がＧＰＳ衛星から測位信号を受信できない可能性がある。このため、設置位置は、ユーザにて入力されることが望ましい。なお、入力される設置位置は、例えば、３階のＤ３エリアなどを示す。
【０１３６】
図４は、ユーザにて設置位置が入力される位置情報取得部１１４の一例を示したブロック図である。図４において、位置情報取得部１１４は、入力部１２０と、管理部１２１と、位置記憶部１２２とを含む。
【０１３７】
入力部１２０は、ユーザから設置位置を受け付ける。
【０１３８】
管理部１２１は、入力部１２０が受け付けた設置位置を位置記憶部１２２に記録する。
【０１３９】
また、管理部１２１は、初期構成部１１２から初期構成情報を受け付けると、記録部１１２から設置位置を取得する。管理部１２１は、設置位置を取得すると、初期構成情報および設置位置を送受信部１１５に出力する。
【図面の簡単な説明】
【０１４０】
【図１】本発明の一実施例マルチホップネットワークの構成支援システムを示したブロック図である。
【図２】マルチホップネットワークの構成支援システムの動作例を説明するためのフローチャートである。
【図３】マルチホップネットワークの構成支援システムの他の動作例を説明するためのフローチャートである。
【図４】位置情報取得部の一例を示したブロック図である。
【図５】端末機の配置を示した概念図である。
【図６】最適ネットワークを示した概念図
【図７ａ】端末機が自動的に構成するマルチホップネットワークを示した概念図である。
【図７ｂ】端末機が自動的に構成するマルチホップネットワークを示した概念図である。
【図７ｃ】端末機が自動的に構成するマルチホップネットワークを示した概念図である。
【図７ｄ】端末機が自動的に構成するマルチホップネットワークを示した概念図である。
【図８】実際ネットワークを示した概念図である。
【符号の説明】
【０１４１】
１００    構成端末機
１１１    無線通信部
１１２    初期構成部
１１３    記憶部
１１４    位置情報取得部
１１５    送受信部
１１６    通信状況テスト部
１１７    通信状況報告部
１１８    再構成部
１２０    入力部
１２１    管理部
１２２    位置記憶部
２００    支援装置
２０１    メモリ
２０２    制御部
２０３    ルーティング記憶部
２０４    表示部
２０５    操作部
２１１    データ送受信部
２１２    表示編集部
２１３    構成指示部
２１４    通信状況受信部
２１５    構成確定指示部
【図１】
2007189411.tif 000003
【図２】
2007189411.tif 000004
【図３】
2007189411.tif 000005
【図４】
2007189411.tif 000006
【図５】
2007189411.tif 000007
【図６】
2007189411.tif 000008
【図７ａ】
2007189411.tif 000009
【図７ｂ】
2007189411.tif 000010
【図７ｃ】
2007189411.tif 000011
【図７ｄ】
2007189411.tif 000012
【図８】
2007189411.tif 000013